(57)【要約】【課題】専用の設定器を用いることなく、グループ制御の対象とする負荷を容易に設定できる操作スイッチ配線器具及びそれに用いるハンドル部材を提供する。【解決手段】遠隔監視制御システムに用いられる操作スイッチ配線器具１であって、操作スイッチとして、リレーのアドレスに対応付けたアドレスが個別に割り当てられて、対応するリレーを個別にオン／オフするための複数個の個別スイッチ１８と、各個別スイッチ１８の内の１乃至複数を１つのグループとして当該グループの個別スイッチ１８に対応するリレーを一括してオン／オフするためのグループスイッチ２１と、個々の個別スイッチ１８に対応してそれぞれ設けられ、対応する個別スイッチ１８を上記グループに登録するか否かを設定するグループ設定スイッチ１９とを備える。【選択図】図１
2006304235.tif 000002
【特許請求の範囲】
【請求項１】
個別のアドレスが割り当てられた操作スイッチのスイッチ操作を監視する操作スイッチ配線器具と、個別のアドレスが割り当てられたリレーの開閉を制御するリモコン配線器具とを信号線に接続し、前記操作スイッチ配線器具は、前記操作スイッチの操作に応じた操作情報とアドレス情報とを含む伝送信号を信号線に出力し、前記リモコン配線器具は、信号線を介して受信した伝送信号に含まれるアドレス情報が対応するリレーのアドレスに一致すると、前記アドレス情報に対応するリレーを開閉する遠隔監視制御システムに用いられる操作スイッチ配線器具であって、
前記操作スイッチとして、前記リレーのアドレスに対応付けたアドレスが個別に割り当てられて、対応するリレーを個別にオン／オフするための複数個の個別スイッチと、前記各個別スイッチの内の１乃至複数を１つのグループとして当該グループの個別スイッチに対応するリレーを一括してオン／オフするためのグループスイッチとを備え、各個別スイッチを前記グループに登録するか否かを設定するグループ設定手段を設けたことを特徴とする操作スイッチ配線器具。
【請求項２】
施工面に配設される器体の前面に前記各個別スイッチの押操作部と前記グループスイッチの押操作部とを配置してあり、前記器体の前面側に回動自在に取着され、各個別スイッチの押操作部に対応する部位に該押操作部を露出させる窓孔が形成されるとともに、回動動作に応じてグループスイッチの押操作部を押動する押突起が裏面側に形成された操作ハンドルと、該操作ハンドルの前面側に各個別スイッチの押操作部を露出させる位置と各個別スイッチの押操作部を覆う位置との間で回動自在に取着された扉体とを備え、該扉体の裏面側に前記グループ設定手段を配置したことを特徴とする請求項１記載の操作スイッチ配線器具。
【請求項３】
施工面に配設される器体の前面に前記複数個の個別スイッチの押操作部を配置してあり、前記器体の前面側に回動自在に取着され、各個別スイッチの押操作部に対応する部位に該押操作部を露出させる窓孔が形成された操作ハンドルと、該操作ハンドルの前面側に各個別スイッチの押操作部を露出させる位置と各個別スイッチの押操作部を覆う位置との間で回動自在に取着された扉体とを備えるとともに、前記扉体の裏面側に、個々の個別スイッチ毎に、対応する個別スイッチの押操作部に対向し前記操作ハンドルの回動動作に応じて対応する押操作部を押動する位置と、対応する押操作部から外れる位置との間で進退自在に設けられた複数個の押操作子を備え、当該複数個の押操作子で前記グループ設定手段を構成し、前記グループスイッチを前記複数個の個別スイッチで兼用したことを特徴とする請求項１記載の操作スイッチ配線器具。
【請求項４】
個別のアドレスが割り当てられた個別スイッチを複数具備し各個別スイッチのスイッチ操作を監視する操作スイッチ配線器具と、個別のアドレスが割り当てられたリレーの開閉を制御するリモコン配線器具とを信号線に接続し、前記操作スイッチ配線器具は、前記個別スイッチの操作に応じた操作情報とアドレス情報とを含む伝送信号を信号線に出力し、前記リモコン配線器具は、信号線を介して受信した伝送信号に含まれるアドレス情報が対応するリレーのアドレスに一致すると、前記アドレス情報に対応するリレーを開閉する遠隔監視制御システムの操作スイッチ配線器具に用いられるハンドル部材であって、操作スイッチ配線器具の器体の前面に対して回動自在に取着するための取付手段が設けられた操作ハンドルを備え、該操作ハンドルに、操作スイッチ配線器具の備える個々の個別スイッチを、各個別スイッチに対応するリレーを一括してオン／オフするグループに登録するか否かを設定するグループ設定手段と、該グループ設定手段によって前記グループに登録された個別スイッチを操作ハンドルの回動動作に応じて押操作するための押操作子を設けたことを特徴とするハンドル部材。
【請求項５】
前記操作ハンドルには、器体の前面に配置された各個別スイッチの押操作部に対向する部位に各押操作部を露出させる窓孔が形成され、操作ハンドルの前面側に、各個別スイッチの押操作部を露出させる位置と各押操作部を覆う位置との間で回動自在に取着された扉体を設けるとともに、当該扉体の裏面側に、個々の個別スイッチ毎に、前記押操作子が、対応する個別スイッチの押操作部に対向し前記操作ハンドルの回動動作に応じて対応する押操作部を押動する位置と、対応する押操作部から外れる位置との間で進退自在に設けられており、各個別スイッチ毎に設けた押操作子で前記グループ設定手段を構成したことを特徴とする請求項４記載のハンドル部材。
【発明の詳細な説明】
【技術分野】
【０００１】
本発明は、照明負荷などの負荷の遠隔監視制御を行う遠隔監視制御システムに用いられる操作スイッチ配線器具及びそれに用いるハンドル部材に関するものである。
【背景技術】
【０００２】
従来から、図１２（ａ）に示す構成の遠隔監視制御システムが知られている（例えば特許文献１参照）。この遠隔監視制御システムでは、２線式の信号線Ｌｓに、リレー付き親器（以下制御親器と称す）１０１と、複数台のリレー付き子器（以下制御子器とす）１０２，１０２と、複数台の操作スイッチ配線器具１０３〜１０５と、アドレス設定用端末器１０６とが接続（マルチドロップ接続）されている。
【０００３】
ここに、本システムでは負荷への電源供給をオン／オフするためのリレーを制御するリモコン配線器具として２種類の配線器具（制御親器１０１および制御子器１０２）を備え、制御親器１０１はリレーを８回路分、制御子器１０２はリレーを４回路分ずつ備えている。一方、操作スイッチ配線器具１０３には、複数の負荷を予め個々に設定した制御状態に一括して制御するためのパターンスイッチの操作釦１０３ａが複数個設けられ、各パターンスイッチの操作状態を監視している。また操作スイッチ配線器具１０４には、複数の負荷を同じ制御状態に一括して制御するためのグループスイッチの操作釦１０４ａが設けられ、グループスイッチの操作状態を監視している。また操作スイッチ配線器具１０５には、対応する負荷を個別にオン／オフするための個別スイッチの操作釦１０５ａが複数設けられ、複数の個別スイッチの操作状態を監視している。
【０００４】
制御親器１０１および制御子器１０２の備えるリレーと、操作スイッチ配線器具１０３〜１０５の備えるスイッチにはそれぞれ個別のアドレスが設定されており、制御親器１０１では、それらのアドレスを用いて操作スイッチ配線器具１０３〜１０５のスイッチおよび制御親器１０１、制御子器１０２のリレーを個別に認識する。
【０００５】
制御親器１０１は伝送制御装置としての機能を有しており、信号線Ｌｓに対して、図１２（ｂ）に示すフォーマットの伝送信号Ｖｓを送出する。すなわち、信号送出開始を示すスタートパルス信号ＳＴ、伝送信号Ｖｓのモードを示すモードデータＭＤ、制御子器１０２や操作スイッチ配線器具１０３〜１０５を各別に呼び出すためのアドレスデータＡＤ、リレーや負荷を制御する制御データＣＤ、伝送誤りを検出するためのチェックサムデータＣＳ、制御子器１０２や操作スイッチ配線器具１０３〜１０５からの返送信号（監視データ）を受信するタイムスロットである信号返送期間ＷＴよりなる双極性（±２４Ｖ）の時分割多重信号であり、パルス幅変調によってデータが伝送されるようになっている（図１２（ｃ））。制御子器１０２および操作スイッチ配線器具１０３〜１０５では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。 
【０００６】
ここで、制御親器１０１から所望の制御子器１０２や操作スイッチ配線器具１０３〜１０５へデータを伝送する場合には、モードデータＭＤを制御モードとし、制御子器１０２の備えるリレーや操作スイッチ配線器具１０３〜１０５の備えるスイッチに割り当てたアドレスをアドレスデータＡＤとする伝送信号Ｖｓを送出し、この伝送信号Ｖｓを信号線Ｌｓに送出すれば、アドレスデータＡＤに一致する制御子器１０２又は操作スイッチ配線器具１０３〜１０５が制御データＣＤを受け取り、信号返送期間ＷＴに監視データを返送する。制御親器１０１では送出した制御データＣＤと信号返送期間ＷＴに受信した監視データとの関係によって制御データＣＤが所望の制御子器１０２又は操作スイッチ配線器具１０３〜１０５に伝送されたことを確認する。制御子器１０２では受け取った制御データＣＤに従って対応するアドレスのリレーを制御する。また操作スイッチ配線器具１０３〜１０５では受け取った制御データＣＤに従ってリレーの動作確認表示を行なうための監視信号を出力する。 
【０００７】
また制御親器１０１は、通常時にはモードデータＭＤをダミーモードとした伝送信号Ｖｓを一定時間間隔で送出しており（常時ポーリング）、操作スイッチ配線器具１０３〜１０５が制御親器１０１に対して何らかの情報を伝送しようとするときには、ダミーモードの伝送信号Ｖｓのスタートパルス信号ＳＴに同期させて図１２（ｄ）のような割込信号Ｖｉを発生させる。このとき、操作スイッチ配線器具１０３〜１０５は割込フラグを設定して制御親器１０１との以後の情報授受に備える。制御親器１０１では割込信号Ｖｉを受信すると、モードデータＭＤを割込ポーリングモードとしかつアドレスデータＡＤの上位の半数のビットを順次増加させながら伝送信号を送出し、割込信号を発生した操作スイッチ配線器具１０３〜１０５では、割込ポーリングモードの伝送信号のアドレスデータＡＤの上位の半数のビットが操作スイッチ配線器具１０３〜１０５の備えるスイッチのアドレスの上位の半数のビットに一致するときに、信号返送期間ＷＴにアドレスの下位の半数のビットを制御親器１０１に返送する。
【０００８】
制御親器１０１が割込信号を発生した操作スイッチ配線器具１０３〜１０５のアドレス（つまり操作されたスイッチのアドレス）を獲得すると、モードデータＭＤを監視モードとし、獲得したアドレスデータＡＤを持つ伝送信号を信号線Ｌｓに送出するのであって、この伝送信号に対して操作スイッチ配線器具１０３〜１０５は伝送しようとする情報を信号返送期間ＷＴに返送するのである。最後に、制御親器１０１は割込信号を発生した操作スイッチ配線器具１０３〜１０５に対して割込リセットを指示する信号を送出し、操作スイッチ配線器具１０３〜１０５の割込フラグを解除する。以上のようにして、操作スイッチ配線器具１０３〜１０５から制御親器１０１への情報伝送は、制御親器１０１から操作スイッチ配線器具１０３〜１０５への４回の信号伝送（ダミーモード、割込ポーリングモード、監視モード、割込リセット）によって完了する。また制御親器１０１が所望の制御子器１０２の動作状態を知ろうとするときには、モードデータＭＤを監視データとした伝送信号を送出するだけでよい。 
【０００９】
上述の動作を簡単にまとめる。まず、各スイッチの操作釦１０３ａ〜１０５ａの操作により入力データが発生すると、操作スイッチ配線器具１０３〜１０５から入力データに対応した監視データを制御親器１０１に返送し、制御親器１０１では、操作されたスイッチのアドレスと自己の備えるリレーのアドレスとが対応関係にある場合は、このリレーを制御し、操作されたスイッチのアドレスが制御子器１０２の備えるリレーのアドレスと対応関係にある場合は、この制御子器１０２に制御データＣＤを伝送し、制御子器１０２により対応するリレーを制御させている。なお制御親器１０１では、パターンスイッチやグループスイッチとリレーとのアドレスの対応関係を管理しており、何れかのスイッチの操作に応じて複数回路のリレーを一括して制御することが可能である。
【００１０】
ところで、上述の操作スイッチ配線器具１０５は複数の個別スイッチの操作状態を監視する端末器であり、この操作スイッチ配線器具１０５の構成について図１３（ａ）〜（ｃ）を参照して説明する。
【００１１】
操作スイッチ配線器具１０５は、造営面に埋込配設される器体１１０を備え、器体１１０前面の右側部には８個の可撓片１１２が上下方向に並べて設けられ、各可撓片１１２の左側には負荷の動作状態を示すＬＥＤのような表示ランプ１１３が配置されている。各可撓片１１２は長手方向の一端側を除く全周にスリットが形成されて、一端側で器体１１０に片持ち支持されており、長手方向の他端側には円柱状の押釦１１２ａが一体に形成されている。器体１１０の内部には、各可撓片１１２に対向してタクトスイッチからなる個別スイッチ（図示せず）が収納されており、押釦１１２ａを押動して可撓片１１２を内側に撓ませることによって、可撓片１１２の裏面側で個別スイッチを押操作できるようになっている。また、器体１１０の内部にはロータリスイッチからなるアドレス設定スイッチが収納され、このアドレス設定スイッチの回転摘み１１４が器体１１０前面の中央部に露設されており、回転摘み１１４の回転位置に応じて８個の個別スイッチのアドレスが、１〜８、９〜１６、１７〜２４、２５〜３２、３３〜４０、４１〜４８の何れかに設定される。例えば回転摘み１１４を用いてアドレスを９〜１６に設定すると、８個の個別スイッチのアドレスが上から順番に９、１０、１１…１６に設定される。
【００１２】
また器体１１０の前面には化粧カバー１１１が取着される。化粧カバー１１１は、器体１１０の前面と略同じ大きさに形成された矩形板状のカバー本体１１６を有し、カバー本体１１６裏面の左右両側部に４本ずつ突設された弾性係止爪片を、器体１１０前面の左右両側部にそれぞれ３個ずつ開口する係止孔１１５に係止させることによって器体１１０の前面に取着されている。カバー本体１１６には、器体１１０の前面に設けられた押釦１１２ａおよび表示ランプ１１３に対向する部位に、押釦１１２ａおよび表示ランプ１１３を挿通させる貫通孔（図示せず）が形成されており、カバー本体１１６の前面側には可撓性を有する樹脂製の表銘板１１７が貼り付けられる。この表銘板１１７はメンブレンシートと呼ばれるもので、各押釦１１２ａに対向する部位には前方に向かって膨出する操作釦１０５ａが形成されている。また、表銘板１１７には、カバー本体１１６の裏面側に取り付けられたネームカード１１８と表示ランプ１１３とに対向する部位にそれぞれ光透過部１１９、１２０が形成されており、これらの光透過部を通してネームカード１１８の文字や表示ランプ１１３の光が外部より視認可能になっている。
【特許文献１】特開平３−９４５９７号公報
【発明の開示】
【発明が解決しようとする課題】
【００１３】
上記構成の遠隔監視制御システムでは、負荷を個別に操作する個別スイッチの操作を監視する操作スイッチ配線器具１０５と、グループスイッチ又はパターンスイッチの操作を監視する操作スイッチ配線器具１０３，１０４とを設けており、各個別スイッチのアドレスを設定したり、グループ制御やパターン制御で一括制御する負荷のアドレスを設定する場合には、専用のアドレス設定用端末器１０６を用意する必要があり、システム全体のコストアップの要因になっていた。またアドレス設定用端末器１０６を用いてグループ制御やパターン制御の設定を行う場合は、グループ制御やパターン制御の制御対象となる負荷のアドレスに対応させて、グループ番号やパターン番号（グループスイッチやパターンスイッチのアドレス）を設定しなければならず、専門の知識を有する作業者しか設定作業を行うことが出来ず、また設定に長時間を要するという問題があり、そのうえ設定作業中はシステム全体がアドレスの設定状態となるため、通常の負荷制御を行うことができないという問題もあった。
【００１４】
本発明は上記問題点に鑑みて為されたものであり、その目的とするところは、専用の設定器を用いることなく、グループ制御の対象とする負荷を容易に設定できる操作スイッチ配線器具及びそれに用いるハンドル部材を提供することにある。
【課題を解決するための手段】
【００１５】
上記目的を達成するために、請求項１の発明は、個別のアドレスが割り当てられた操作スイッチのスイッチ操作を監視する操作スイッチ配線器具と、個別のアドレスが割り当てられたリレーの開閉を制御するリモコン配線器具とを信号線に接続し、操作スイッチ配線器具は、操作スイッチの操作に応じた操作情報とアドレス情報とを含む伝送信号を信号線に出力し、リモコン配線器具は、信号線を介して受信した伝送信号に含まれるアドレス情報が対応するリレーのアドレスに一致すると、アドレス情報に対応するリレーを開閉する遠隔監視制御システムに用いられる操作スイッチ配線器具であって、操作スイッチとして、リレーのアドレスに対応付けたアドレスが個別に割り当てられて、対応するリレーを個別にオン／オフするための複数個の個別スイッチと、各個別スイッチの内の１乃至複数を１つのグループとして当該グループの個別スイッチに対応するリレーを一括してオン／オフするためのグループスイッチとを備え、各個別スイッチをグループに登録するか否かを設定するグループ設定手段を設けたことを特徴とする。
【００１６】
この発明によれば、操作スイッチ配線器具が備える複数個の個別スイッチを用いて対応するリレーを個別にオン／オフできるとともに、グループスイッチを用いてグループに登録されたリレーを一括してオン／オフすることができ、且つ、操作スイッチ配線器具が備えるグループ設定手段を用いて、各個別スイッチをグループに登録するか否かを設定することができるので、グループ設定を行うための専用の設定器を使用しなくても、操作スイッチ配線器具自体でグループ設定を行うことができるから、グループ設定が容易に行えるという効果があり、且つ、設定作業中も遠隔監視制御システムは通常の制御動作を行っているので、負荷の制御が行えなくなることはない。
【００１７】
請求項２の発明は、請求項１の発明において、施工面に配設される器体の前面に各個別スイッチの押操作部とグループスイッチの押操作部とを配置してあり、器体の前面側に回動自在に取着され、各個別スイッチの押操作部に対応する部位に該押操作部を露出させる窓孔が形成されるとともに、回動動作に応じてグループスイッチの押操作部を押動する押突起が裏面側に形成された操作ハンドルと、該操作ハンドルの前面側に各個別スイッチの押操作部を露出させる位置と各個別スイッチの押操作部を覆う位置との間で回動自在に取着された扉体とを備え、該扉体の裏面側にグループ設定手段を配置したことを特徴とする。
【００１８】
この発明によれば、扉体の裏面側にグループ設定手段を配置しているので、器体の前面に個別スイッチおよびグループスイッチの押操作部に加えてグループ設定手段を配置する場合に比べて、グループ設定手段の取付スペースを十分に確保することができ、グループ設定手段として大型のものを使用できるから、操作性が向上するという効果がある。しかも器体の前面の空きスペースが広がるから、この空きスペースを個別スイッチの用途表示などに利用することが可能になる。
【００１９】
請求項３の発明は、請求項１の発明において、施工面に配設される器体の前面に複数個の個別スイッチの押操作部を配置してあり、器体の前面側に回動自在に取着され、各個別スイッチの押操作部に対応する部位に該押操作部を露出させる窓孔が形成された操作ハンドルと、該操作ハンドルの前面側に各個別スイッチの押操作部を露出させる位置と各個別スイッチの押操作部を覆う位置との間で回動自在に取着された扉体とを備えるとともに、扉体の裏面側に、個々の個別スイッチ毎に、対応する個別スイッチの押操作部に対向し操作ハンドルの回動動作に応じて対応する押操作部を押動する位置と、対応する押操作部から外れる位置との間で進退自在に設けられた複数個の押操作子を備え、当該複数個の押操作子でグループ設定手段を構成し、グループスイッチを複数個の個別スイッチで兼用したことを特徴とする。
【００２０】
この発明によれば、扉体の裏面側に、個々の個別スイッチ毎に、対応する個別スイッチの押操作部に対向し操作ハンドルの回動動作に応じて対応する押操作部を押動する位置と、対応する押操作部から外れる位置との間で進退自在に設けられた複数個の押操作子を備え、これら複数個の押操作子でグループ設定手段を構成しているので、複数の個別スイッチでグループスイッチを兼用することができ、専用のグループスイッチを無くすことで部品数を削減してコストダウンを図ることが可能になる。しかもグループ設定手段を機械的な押操作子で構成しているので、電気的なスイッチで構成した場合に比べて、スイッチや配線が不要になり、全体のコストダウンを図ることができ、また専門の知識を持たない作業者でも容易に設定が行え、また設定中も遠隔監視制御システムは通常の負荷制御を行うことができる。
【００２１】
請求項４の発明は、個別のアドレスが割り当てられた個別スイッチを複数具備し各個別スイッチのスイッチ操作を監視する操作スイッチ配線器具と、個別のアドレスが割り当てられたリレーの開閉を制御するリモコン配線器具とを信号線に接続し、操作スイッチ配線器具は、個別スイッチの操作に応じた操作情報とアドレス情報とを含む伝送信号を信号線に出力し、リモコン配線器具は、信号線を介して受信した伝送信号に含まれるアドレス情報が対応するリレーのアドレスに一致すると、アドレス情報に対応するリレーを開閉する遠隔監視制御システムの操作スイッチ配線器具に用いられるハンドル部材であって、操作スイッチ配線器具の器体の前面に対して回動自在に取着するための取付手段が設けられた操作ハンドルを備え、該操作ハンドルに、操作スイッチ配線器具の備える個々の個別スイッチを、各個別スイッチに対応するリレーを一括してオン／オフするグループに登録するか否かを設定するグループ設定手段と、該グループ設定手段によってグループに登録された個別スイッチを操作ハンドルの回動動作に応じて押操作するための押操作子を設けたことを特徴とする。
【００２２】
この発明によれば、操作スイッチ配線器具の器体の前面に取付手段を用いて操作ハンドルを取着すると、操作ハンドルに設けた押操作子が、操作ハンドルの回動操作に応じて、グループに登録された個別スイッチを一括して押操作するから、複数の個別スイッチを備えた既設の操作スイッチ配線器具にハンドル部材を取り付けるだけでグループ制御の機能を容易に追加することが出来る。しかも、操作ハンドルに設けたグループ設定手段を用いて、各個別スイッチをグループに登録するか否かを設定することができるので、グループ設定を行うための設定器が不要で、グループ設定を容易に行うことができる。
【００２３】
請求項５の発明は、請求項４の発明において、操作ハンドルには、器体の前面に配置された各個別スイッチの押操作部に対向する部位に各押操作部を露出させる窓孔が形成され、操作ハンドルの前面側に、各個別スイッチの押操作部を露出させる位置と各押操作部を覆う位置との間で回動自在に取着された扉体を設けるとともに、当該扉体の裏面側に、個々の個別スイッチ毎に、押操作子が、対応する個別スイッチの押操作部に対向し操作ハンドルの回動動作に応じて対応する押操作部を押動する位置と、対応する押操作部から外れる位置との間で進退自在に設けられており、各個別スイッチ毎に設けた押操作子でグループ設定手段を構成したことを特徴とする。
【００２４】
この発明によれば、操作ハンドルの前面側に取着された扉体を開けると、個別スイッチの操作が可能になるので、各個別スイッチを個別に操作することができ、また扉体を閉じると、対応する個別スイッチの押操作部に対向する位置に動かされた押操作子が、操作ハンドルの回動操作に応じて、対応する個別スイッチの押操作部を押操作することができるから、グループに登録された個別スイッチを一括して操作できる。しかもグループ設定手段を機械的な押操作子で構成し、押操作子の位置を変えることで対応する個別スイッチをグループに登録するか否かを設定できるから、専門の知識を持たない作業者でも容易に設定が行え、また設定中も遠隔監視制御システムは通常の負荷制御を行うことができる。
【発明の効果】
【００２５】
請求項１の発明は操作スイッチ配線器具の発明であって、この発明によれば、操作スイッチ配線器具が備える複数個の個別スイッチを用いて対応するリレーを個別にオン／オフできるとともに、グループスイッチを用いてグループに登録されたリレーを一括してオン／オフすることができ、且つ、操作スイッチ配線器具が備えるグループ設定手段を用いて、各個別スイッチをグループに登録するか否かを設定することができるので、グループ設定を行うための専用の設定器を使用しなくても、操作スイッチ配線器具自体でグループ設定を行うことができるから、グループ設定が容易に行えるという効果があり、且つ、設定作業中も遠隔監視制御システムは通常の制御動作を行っているので、負荷の制御が行えなくなることはない。
【００２６】
また請求項４の発明は操作スイッチ配線器具に用いるハンドル部材の発明であって、この発明によれば、操作スイッチ配線器具の器体の前面に取付手段を用いて操作ハンドルを取着すると、操作ハンドルに設けた押操作子が、操作ハンドルの回動操作に応じて、グループに登録された個別スイッチを一括して押操作するから、複数の個別スイッチを備えた既設の操作スイッチ配線器具にハンドル部材を取り付けるだけでグループ制御の機能を容易に追加することができ、且つ、操作ハンドルに設けたグループ設定手段を用いて、各個別スイッチをグループに登録するか否かを設定することができるので、グループ設定を行うための設定器が不要で、グループ設定を容易に行えるという効果がある。
【発明を実施するための最良の形態】
【００２７】
以下に本発明の実施の形態を図面に基づいて説明する。
【００２８】
（実施形態１）
本発明に係る操作スイッチ配線器具の実施形態１を図１〜図４に基づいて説明する。尚、以下の説明では特に断りがないかぎり、図３（ａ）の向きにおいて上下左右の方向を規定し、図３（ａ）中の正面を前面という。したがって図４（ａ）中の右端は後端になる。
【００２９】
この操作スイッチ配線器具は、従来技術で説明した遠隔監視制御システムに用いられるものであり、遠隔監視制御システムのシステム構成および動作については従来技術で説明したものと同様であるので、その説明は説明を省略する。
【００３０】
図４（ｂ）は操作スイッチ配線器具１の回路ブロック図であり、マイクロコンピュータよりなるコントロール部１ａと、各８個の個別スイッチ１８およびグループ設定スイッチ１９とグループスイッチ２１とを有する操作入力部１ｂと、アドレス設定スイッチ２２からなるアドレス設定部１ｃと、信号線Ｌｓを介して伝送信号を受信する信号入力部１ｄと、信号線Ｌｓを介して伝送信号を送信する信号出力部１ｅと、８個の個別スイッチ１８とグループスイッチ２１とにそれぞれ対応して設けた計９個の発光ダイオードからなる表示部１ｆと、信号線Ｌｓを介して送信される複極の伝送信号Ｖｓを全波整流することによって内部電源を生成する電源部１ｇとを主要な構成として備える。
【００３１】
図１は操作スイッチ配線器具１の分解斜視図であり、操作スイッチ配線器具１の器体１０は合成樹脂製のボディ１１とカバー１２とを結合して構成され、カバー１２の前面にはハンドル部材３０が回動自在に取着される。この器体１０は、埋込型の配線器具用に規格化された一連の取付枠に３個まで取着可能な単位寸法の埋込型配線器具を短幅方向に３個並べた寸法（３個モジュール寸法）と略同じ寸法に形成されており、前面を露出させた状態で施工面に埋込配設される。
【００３２】
ボディ１１は前面が開口した縦長の略箱状であって、長手方向に沿う両側壁の前縁からは各一対の組立舌片１４が前方に向かって突設されている。一方、カバー１２は後面が開口した縦長の略箱状であって、長手方向に沿う両側壁には一対の組立突起１５が上下に離間して突設されており、この組立突起１５を組立舌片１４に設けた係止孔１３に係合させることで、ボディ１１とカバー１２とが結合されている。
【００３３】
カバー１２の上下両側壁の前縁からは取付片１６，１６が上下両側に向かってそれぞれ延出しており、各取付片１６には施工面に埋設された埋込ボックス（図示せず）にねじ止めするためのボックスねじを挿通する長孔１６ａと、壁材などに器体１０を直付けするための取付ねじを挿通するねじ挿通孔１６ｂと、ハンドル部材３０を露出させる窓孔が前面に開口するプレート６０（図１３（ａ）参照）を取着するためのプレートねじ用のねじ孔１６ｃとが少なくとも設けてある。
【００３４】
器体１０の内部には、タクトスイッチからなる８個の個別スイッチ１８、各個別スイッチ１８に対応して設けた８個のグループ設定スイッチ１９、タクトスイッチからなるグループスイッチ２１、８個の個別スイッチ１８とグループスイッチ２１とにそれぞれ対応して設けた計９個の発光ダイオード２０及びロータリスイッチ２２を含み、図４（ｂ）の回路を形成する回路部品が実装されたプリント配線板よりなる回路基板１７が収納されている。複数の個別スイッチ１８とグループ設定スイッチ１９と発光ダイオード２０とはそれぞれ上下方向に並べて回路基板１７に列設されており、回路基板１７の右側から個別スイッチ１８、グループ設定スイッチ１９、発光ダイオード２０の順番に並べて配置されている。またグループスイッチ２１とロータリスイッチ２２とは回路基板１７の左右方向略中央に上下に並べて配置されている。なおボディ１１の背面には信号線Ｌｓを接続するためのねじ端子４５が設けられ、ねじ端子４５を介して回路基板１７と信号線Ｌｓとが電気的に接続されるようになっている。
【００３５】
一方、カバー１２には、各個別スイッチ１８に対向する部位に各個別スイッチ１８の操作子に被せた押釦１８ａ（押操作部）を前後動自在に挿通させる８個の丸孔２３が貫設されるとともに、各グループ設定スイッチ１９に対向する部位に各グループ設定スイッチ１９の操作子に被せたスライド摘み１９ａを左右方向にスライド移動自在に挿通させる８個の角孔２４が貫設され、各発光ダイオード２０に対向する部位に発光ダイオード２０の備える直方体状のレンズ体を挿通させる９個の挿通孔２５が貫設されている。またカバー１２には、グループスイッチ２１およびロータリスイッチ２２に対向する部位に、グループスイッチ２１の押釦２１ａ（押操作部）とロータリスイッチ２２の操作子２２ａとをそれぞれ挿通させる挿通孔２６，２７が貫設されている。なおロータリスイッチ２２の操作子２２ａにはドライバなどの工具を用いて回転させるために溝を形成してある。またカバー１２の前面には挿通孔２７の周りに角形に凹んだ凹部１２ａが設けられ、この凹部１２ａの底面には図２（ｂ）に示すような銘板２８が貼り付けられ、銘板２８に設けた透孔２８ａを通してロータリスイッチ２２の操作子２２ａが露出している。なお銘板２８には、操作子２２ａの切替位置を示す目盛や、各目盛に切り替えた時に設定されるアドレスを示す数字（例えば「１〜８」、「９〜１６」など）が表示されている。
【００３６】
またカバー１２の前面側には、上述したグループスイッチ２１の押操作を行うための操作ハンドル３１がカバー１２前面の取付片１６，１６以外の部位を略覆う形で回動自在に取着されている（図３（ａ）（ｂ）参照）。カバー１２前面の左側端部には、操作ハンドル３１を枢着するために斜め前方に突出する一対の軸部２９，２９が一体に突設してあり、軸部２９，２９の前端部はカバー１２の長手方向に沿った円柱状に形成されている。一方、操作ハンドル３１は合成樹脂により矩形板状に形成されており、左右方向及び上下方向の寸法がプレート６０の窓孔の左右方向寸法および上下方向寸法と略同じ寸法に形成されている。操作ハンドル３１の背面の短手方向一端部には、図２（ａ）に示すように、板ばねにより形成された金属製の軸受用ばね体３３ｂをはめ込み用穴３３ａに装着した軸受部３３が設けてあり、はめ込み用穴３３ａに軸部２９，２９をはめ込むことによって操作ハンドル３１は軸部２９を回動中心として回動自在に枢支される。なお操作ハンドル３１裏面の他端側には一対の抜止片３４，３４が後方に向かって突設されており、各抜止片３４はカバー１２の前壁に設けた挿入孔１２ｂを通してカバー１２の内側に挿入され、抜止片３４の先端の爪が挿入孔１２ｂの周縁部と係止することによって、操作ハンドル３１の回動範囲を規制している。
【００３７】
また操作ハンドル３１の裏面には、カバー１２の挿通孔２６から露出するグループスイッチ２１の押釦２１ａに対向する部位に押突起３５が突設されており、操作ハンドル３１の右側部を押操作すると、操作ハンドル３１が軸部２９を支点にして回動し、操作ハンドル３１の押突起３５によって押釦２１ａが押動され、グループスイッチ２１がオンになる。一方、ハンドル部材３０を押圧する力を無くすと、操作ハンドル３１は押釦２１ａや軸受用ばね体３３ｂなどの反力を受けて復帰位置に戻り、グループスイッチ２１がオフになる。
【００３８】
また操作ハンドル３１には、カバー１２の丸孔２３に対向する位置に押釦１８ａを前後動自在に挿通させる丸孔３７（窓孔）が貫設されるとともに、角孔２４に対向する位置にスライド摘み１９ａをスライド移動自在に挿通させる角孔３８が貫設され、さらに挿通孔２５に対向する位置に透孔３９が貫設されている。
【００３９】
また操作ハンドル３１には、押釦１８ａやスライド摘み１９ａや発光ダイオード２０が露出する部位を開閉自在に覆う扉体３２が回動自在に枢着されている。扉体３２は矩形板状であって、左側部の上下両端部から側方に向かって突出するアーム４０，４０が一体に形成されている。操作ハンドル３１の左端部には他の部位よりも前方に突出する突台部４１が設けられ、この突台部４１の上下両側面には軸孔４１ａが形成されている。而して扉体３２は、アーム４０の先端に設けた軸部（図示せず）を、突台部４１の上下両側面の軸孔４１ａに枢支させることによって、押釦１８ａ、スライド摘み１９ａ及び発光ダイオード２０を露出させる位置と、押釦１８ａ、スライド摘み１９ａ及び発光ダイオード２０を覆う位置とを選択自在として操作ハンドル３１の前面に回動自在に取着されている。なお操作ハンドル３１又は扉体３２には、扉体３２が閉じた状態を保つためのラッチ機構を備えておくことが好ましい。
【００４０】
なお扉体３２の前面側には矩形板状のネームカバー４２が嵌め込まれる嵌合凹所３２ａが形成され、この嵌合凹所３２ａの底部には扉体３２を厚み方向に貫通する窓孔３２ｂが形成されており、嵌合凹所３２ａ内に前面側からネームカード４３を収めた状態で、ネームカバー４２を前面側からはめ込むと、ネームカバー４２と窓孔３２ｂの周縁部との間にネームカード４３が保持される。この時、ネームカバー４２の中央部に設けた透光窓４２ａを通してネームカード４３の前面の表示を前面側から目視できるとともに、嵌合凹所３２ａに設けた窓孔３２ｂを通してネームカード４３の裏面の表示を裏面側からも目視できるようになっている。また扉体３２の左端部には、操作ハンドル３１に設けた透孔３９に対向する部位に、上下方向に沿って走る凹溝３２ｃが形成され、この凹溝３２ｃには長尺の表示ライン４４が嵌め込まれている。なお凹溝３２ｃの底面には、グループスイッチ２１に対応して設けた発光ダイオード２０と対向する部位に扉体３２を厚み方向に貫通する窓孔３２ｄが形成されており、発光ダイオードの光が窓孔３２ｄと表示ライン４４に設けた透光窓４４ａとを通して外部から視認できるようになっている。
【００４１】
次にこの操作スイッチ配線器具１を組み立てる手順について説明する。先ず器体１０の組立について説明する。回路部品が実装された回路基板１７をボディ１１の内部に収納した後、ボディ１１の前面にカバー１２を被せ、組立舌片１４の係止孔１３に組立突起１５を係合させることでボディ１１とカバー１２とを結合し、器体１０の組立を完了する。このとき、回路基板１７に実装された個別スイッチ１８およびグループ設定スイッチ１９の操作子にはそれぞれ押釦１８ａ、スライド摘み１９ａが被せられており、押釦１８ａおよびスライド摘み１９ａはカバー１２に設けた丸孔２３および角孔２４を通して前方に突出する。また発光ダイオード２０と、グループスイッチ２１の押釦２１ａと、ロータリスイッチ２２の操作子２２ａは、カバー１２に設けた挿通孔２５，２６，２７を通してカバー１２の前面に露出する。次にハンドル部材３０の組立について説明する。扉体３２の嵌合凹所３２ａ内にネームカード４３を収納した状態で、前面側から嵌合凹所３２ａ内にネームカバー４２を嵌め込むとともに、凹溝３２ｃに表示ライン４４を嵌め込んで、扉体３２に表示ライン４４を固定する。そして扉体３２のアーム４０，４０に設けた軸部を、操作ハンドル３１の突台部４１の上下面に設けた軸孔４１ａに軸支させることによって、扉体３２を操作ハンドル３１の前面側に回動自在に取着し、ハンドル部材３０の組立を完了する。器体１０およびハンドル部材３０の組立がそれぞれ完了すると、ハンドル部材３０を器体１０の前面に被せて、操作ハンドル３１の背面に設けた軸受部３３に器体１０の軸部２９を嵌め込むとともに、操作ハンドル３１の抜止片３４をカバー１２の挿入孔１２ｂに挿入することによって、ハンドル部材３０が器体１０の前面に対して回動自在に取着され、操作スイッチ配線器具１の組立が完了する。
【００４２】
図３は操作スイッチ配線器具１の組立完了状態を示し、同図（ｂ）のように扉体３２を開くと、個別スイッチ１８の押釦１８ａやグループ設定スイッチ１９のスライド摘み１９ａを操作したり、発光ダイオード２０の点灯状態を視認することが可能になる。この操作スイッチ配線器具１には８個の個別スイッチ１８が設けられており、各個別スイッチ１８のアドレスを、制御親器１０１又は制御子器１０２が備えるリレーのアドレスと対応付けることによって、各個別スイッチ１８の操作に応じて対応するリレーを開閉することができる。この操作スイッチ配線器具１を用いる遠隔監視制御システムでは最大で４８個のリレーを制御することができ、４８個のリレーを８個ずつ６つのグループに分けることによって、１台の操作スイッチ配線器具１で１グループ分のリレーの操作を行えるようにしている。そして４８個のリレーに対して１から４８までのアドレスを割り当てているので、例えばアドレス番号が１〜８、９〜１６、１７〜２４、２５〜３２、３３〜４０、４１〜４８のリレーをそれぞれ１つのグループとして、１台の操作スイッチ配線器具１により１グループ分の制御を行っている。なお操作スイッチ配線器具１の備える８個の個別スイッチ１８には、上側から順番に連続したアドレスが昇順で割り当てられ、ハンドル部材３０を外した状態で、器体１０の前面に露出するロータリスイッチ２２の操作子２２ａをドライバなどの工具を用いて回転させることによって、先頭アドレス（一番上にある個別スイッチ１８のアドレス）が１、９、１７、２５、３３、４１の８通りに切り替えられ、８個の個別スイッチ１８に割り当てたアドレスの組み合わせが１〜８、９〜１６、…、４１〜４８の何れかに切替設定されるのである。
【００４３】
而して、扉体３２を開いた状態で個別スイッチ１８の押釦１８ａを押操作すると、押操作された個別スイッチ１８から操作入力がコントロール部１ａに与えられ、上述の割込処理を経て信号出力部１ｅから制御親器１０１へ押操作された個別スイッチ１８のアドレスを監視データとする伝送信号Ｖｓが送信される。この時、制御親器１０１では、受信した伝送信号Ｖｓに含まれるアドレスが制御親器１０１の備えるリレーのアドレスと一致していれば、このリレーの開閉を制御し、一致していなければ対応する制御子器１０２に制御信号を送信し、制御子器１０２により対応するアドレスのリレーを開閉させるのである。その後、制御親器１０１から操作スイッチ配線器具１に対して対応するリレーの制御状態が返送されるので、コントロール部１ａが押操作された個別スイッチ１８に対応する発光ダイオード２０を点灯または消灯させて、対応するリレーの開閉状態（すなわち負荷のオン／オフ状態）を表示することができる。
【００４４】
また、扉体３２を開くと、グループ設定スイッチ１９の操作が可能になり、グループ設定スイッチ１９のスライド摘み１９ａをスライド移動させることによって、対応する個別スイッチ１８を一括制御の制御対象に含めるか否かを設定することができる。例えばスライド摘み１９ａを右端にスライド移動させると、対応する個別スイッチ１８が一括制御対象のグループに登録され、スライド摘み１９ａを左端にスライド移動させると、対応する個別スイッチ１８が一括制御対象のグループから除外されることになる。
【００４５】
そして、図３（ａ）のように扉体３２を閉じた状態でハンドル部材３０（つまり扉体３２）の右側部を押すと、ハンドル部材３０が軸部２９を中心に回動し、操作ハンドル３１の裏面に設けた押突起３５でグループスイッチ２１の押釦２１ａが押操作され、グループスイッチ２１からの操作入力がコントロール部１ａに与えられる。この時、コントロール部１ａでは、各グループ設定スイッチ１９の設定状態を検出し、上述の割込処理を経て信号出力部１ｅから制御親器１０１へ、グループ設定スイッチ１９によりグループに登録された個別スイッチ１８のアドレスを伝送信号Ｖｓにより送信させ、制御親器１０１により上述と同様の処理を行わせ、グループに登録された個別スイッチに対応するリレーを制御させる。
【００４６】
以上説明したように本実施形態では操作スイッチ配線器具１が備える複数個（例えば８個）の個別スイッチ１８を用いて対応するリレーを個別にオン／オフできるとともに、ハンドル部材３０を用いてグループ設定スイッチ１９を押操作することによって複数の個別スイッチに対応するリレーを一括してオン／オフすることができる。しかも、操作スイッチ配線器具１の備えるグループ設定スイッチ１９を用いて、各個別スイッチ１８をグループに登録するか否かを設定することができるので、グループ設定を行うための専用の設定器を使用しなくても、操作スイッチ配線器具自体でグループ設定を行うことができるから、専門の知識を持たない作業者でもグループ設定を容易に行うことができ、また設定中も遠隔監視制御システムは通常の制御動作を行っているので、設定中に制御が行えなくなることはない。
【００４７】
（実施形態２）
本発明に係る操作スイッチ配線器具の実施形態２を図５〜図７に基づいて説明する。上述の実施形態１ではグループ設定スイッチ１９を器体１０の前面に配置しているのに対して、本実施形態ではハンドル部材３０にグループ設定スイッチ１９を配置している。尚、グループ設定スイッチ１９の配置以外は実施形態１と略同様であるので、共通する構成要素には共通する符号を付して、その説明は省略する。
【００４８】
本実施形態ではグループ設定スイッチ１９をハンドル部材３０に配置しているので、器体１０内部に収納される回路基板１７にはグループ設定スイッチ１９が実装されておらず、カバー１２にはグループ設定スイッチ１９のスライド摘み１９ａを挿通させるための角孔２４も形成されていない。
【００４９】
次にハンドル部材３０の構成について説明する。ハンドル部材３０は操作ハンドル３１と扉体３２とで構成される。操作ハンドル３１は合成樹脂により矩形板状に形成されており、左右方向及び上下方向の寸法がプレート６０の窓孔の左右方向寸法および上下方向寸法と略同じ寸法に形成されている。操作ハンドル３１背面の左端部には軸受部３３が、右端部には一対の抜止片３４，３４がそれぞれ設けられ、背面の略中央にはグループスイッチ２１の押釦２１ａに対向する部位に押突起３５が突設されている。また操作ハンドル３１には、カバー１２の丸孔２３に対向する位置に押釦１８ａを前後動自在に挿通させる丸孔３７が貫設されるとともに、挿通孔２５に対向する位置に透孔３９が貫設され、さらに軸受部３３側の下側部には３個のケーブル挿通孔３１ｄが上下に並べて貫設されている。また操作ハンドル３１の前面には矩形状に凹没した収納凹部３１ｃが形成され、この収納凹部３１ｃに各個別スイッチ１８の用途などを表示する矩形板状のネーム部材５０が嵌め込まれている（図６参照）。ネーム部材５０にはケーブル挿通孔３１ｄに連通する３個のケーブル挿通孔５０ａが貫設されるとともに、個別スイッチ１８の押釦１８ａを露出させるための丸孔５０ｂが貫設されている。
【００５０】
一方、扉体３２の前面には矩形状に凹没した嵌合凹所３２ａと凹溝３２ｃとが形成され、これらの嵌合凹所３２ａと凹溝３２ｃにはそれぞれネームカバー４２、表示ライン４４が嵌め込まれている。また扉体３２の裏面には、８個のグループ設定スイッチ１９が実装されたプリント配線板よりなる回路基板４６と、各グループ設定スイッチ１９の操作を行うための８個のスライド操作片４７とを収納した扉カバー４８が取着される。スライド操作片４７は略Ｔ字型であって、幅広部の後面側には円形の操作突起４７ａ（押操作子）が突設されている。扉カバー４８は扁平な矩形板状であって、前面には矩形状に凹没した収納凹部４８ｂが形成されている。収納凹部４８ｂの底部には短幅方向に沿って走る９本の突条４８ｃが上下に並べて形成されており、隣接する２本の突条４８ｃの中間部には長孔状の貫通孔４８ａが形成されている。
【００５１】
而して、収納凹部４８ｂに設けた隣接する２本の突条４８ｃの間にスライド操作片４７をそれぞれ配置し、その上から回路基板４６を重ねて配置した状態で扉カバー４８を扉体３２に固定すると、スライド操作片４７が２本の突条４８ｃによって上下両側からガイドされて、スライド操作片４７を左右方向にスライド移動させることができる。またスライド操作片４７の後面に設けた操作突起４７ａが扉カバー４８の貫通孔４８ａから露出する。なお回路基板４６は器体１０内部に収納された回路基板１７にケーブル４９を介して電気的に接続されている。回路基板４６には各グループ設定スイッチ１９の切替状態を検出する回路が形成されており、回路基板１７からケーブル４９を介して動作電源が供給されるとともに、検出結果をケーブル４９を介して回路基板１７に出力している。なお回路基板４６に接続されたケーブル４９は、扉カバー４８に設けたケーブル挿通孔４８ｄと、ネーム部材５０および操作ハンドル３１に設けたケーブル挿通孔５０ａ、３１ｄとに通され、さらにカバー１２の前面に設けたケーブル挿通孔１２ｄに通して、器体１０内部に収納された回路基板１７に接続される。この扉体３２は操作ハンドル３１に対して回動自在に取着され、この操作ハンドル３１を器体１０の前面に回動自在に取着してある。
【００５２】
ここで、図６に示すように扉体３２を開いた状態ではスライド操作片４７の操作突起４７ａを操作することが可能になり、操作突起４７ａをスライド移動させることによってグループ設定スイッチ（図示せず）の設定が切り替えられ、対応する個別スイッチ１８を一括制御の制御対象に含めるか否かを設定することができる。例えば操作突起４７ａを貫通孔４８ａ内で図６中の右端までスライド移動させると、対応する個別スイッチ１８が一括制御対象のグループに登録される。一方、操作突起４７ａを貫通孔４８ａ内で図６中の左端までスライド移動させると、対応する個別スイッチが一括制御対象のグループから除外されることになる。このように、各々の個別スイッチ１８に対してグループに登録するか否かを設定することができ、設定を終えると扉体３２を閉じる。
【００５３】
この操作スイッチ配線器具１の動作は実施形態１と同様であるので、その説明は省略する。実施形態１ではグループ設定スイッチ１９を操作するためのスライド摘み１９ａを、個別スイッチ１８の押釦１８ａや発光ダイオード２０などと一緒にカバー１２の前面に配置しているため、スライド摘み１９ａの大きさやストロークに制約があるが、本実施形態ではグループ設定スイッチ１９を操作するためのスライド操作片４７を扉体３２に保持させ、各スライド操作片４７の操作突起４７ａを扉体３２の背面側に配置しているので、操作突起４７ａの大きさやストロークを十分大きくとることができ、操作性が向上するという利点がある。
【００５４】
また実施形態１では、個別スイッチ１８の押釦１８ａに隣接して、グループ設定スイッチ１９のスライド摘み１９ａを配置しているため、個別スイッチ１８の用途などを表示するネームカード４３を扉体３２の裏面に配置しているが、本実施形態ではグループ設定スイッチ１９を扉体３２に設けているので、操作ハンドル３１の前面に空きスペースができ、この空きスペースに個別スイッチ１８の用途などを表示するネーム部材５０を取り付けることで、ネーム部材５０の表示を個別スイッチ１８の押釦１８ａの近くに配置でき（図６参照）、個別スイッチ１８を操作する際にネーム部材５０の表示が見易くなるという利点がある。
【００５５】
（実施形態３）
本発明に係る操作スイッチ配線器具の実施形態３を図８〜図１０に基づいて説明する。上述の実施形態２では個別スイッチ１８とは別にグループスイッチ２１を設けているのに対して、本実施形態では個別スイッチ１８でグループスイッチ２１を兼用している。尚、操作スイッチ配線器具１の基本的な構成は実施形態２と略同様であるので、共通する構成要素には共通する符号を付して、その説明は省略する。
【００５６】
本実施形態ではグループスイッチ２１を個別スイッチ１８で兼用しているので、器体１０内部に収納される回路基板１７にはグループスイッチ２１が実装されておらず、カバー１２にはグループスイッチ２１の押釦２１ａを露出させる挿通孔２６も形成されていない。したがって、ロータリスイッチ２２に大型のものを使用でき、カバー１２の前面を深めに凹没した凹部１２ａ内にロータリスイッチ２２の回転摘み２２ｂを突出させ、この回転摘み２２ｂを手で回転させることでアドレスの設定が行えるようになっている。
【００５７】
次にハンドル部材３０の構成について説明する。ハンドル部材３０は操作ハンドル３１と扉体３２とで構成される。操作ハンドル３１は合成樹脂により矩形板状に形成されており、左右方向及び上下方向の寸法がプレート６０の窓孔の左右方向寸法および上下方向寸法と略同じ寸法に形成されている。操作ハンドル３１背面の左端部には軸受部３３が、右端部には一対の抜止片３４，３４がそれぞれ設けられている。また操作ハンドル３１には挿通孔２５に対向する位置に透孔３９が貫設されるとともに、中央部に細長の窓孔３１ｅが貫設されており、窓孔３１ｅを通して個別スイッチ１８の押釦１８ａを操作できるようになっている。なお操作ハンドル３１の後面側には、押釦１８ａとの対向部位を除いて窓孔３１ｅを塞ぐように、各個別スイッチ１８の用途などを表示したネームカード５１が取り付けられている。
【００５８】
一方、扉体３２の前面には矩形状に凹没した嵌合凹所３２ａと凹溝３２ｃとが形成され、これらの嵌合凹所３２ａと凹溝３２ｃにはそれぞれネームカバー４２、表示ライン４４が嵌め込まれている。また扉体３２の裏面には８個のスライド操作片４７を収納した扉カバー４８が取着される。スライド操作片４７は略Ｔ字型であって、幅広部の後面側には円形の操作突起４７ａが突設されている。扉カバー４８は扁平な矩形板状であって、前面には矩形状に凹没した収納凹部４８ｂが形成されている。収納凹部４８ｂの底部には短幅方向に沿って走る９本の突条４８ｃが上下に並べて形成されており、隣接する２本の突条４８ｃの中間部には長孔状の貫通孔４８ａが形成されている。
【００５９】
而して、収納凹部４８ｂに設けた隣接する２本の突条４８ｃの間にスライド操作片４７をそれぞれ配置した状態で扉カバー４８を扉体３２に固定すると、スライド操作片４７が２本の突条４８ｃによって上下両側からガイドされて、スライド操作片４７を左右方向にスライド移動させることができる。このときスライド操作片４７の後面に設けた操作突起４７ａが扉カバー４８の貫通孔４８ａから突出しており、各操作突起４７ａを手でスライド移動させることによって、各操作突起４７ａの位置を個別スイッチ１８の押釦１８ａに対向する位置と、押釦１８ａから外れる位置との間で移動させることができる。ここで、各操作突起４７ａを押釦１８ａに対向する位置にスライド移動させた場合、ハンドル部材３０を押操作していない状態では各操作突起４７ａが押釦１８ａと接触せず、ハンドル部材３０を押操作した状態では各操作突起４７ａが押釦１８ａを押動するような寸法であって、押釦１８ａから外れる位置にスライドさせた場合はハンドル部材３０を押操作してもカバー１２の前面に接触しないような寸法に操作突起４７ａの突出量が設定されている。なお、操作ハンドル３１に設けた窓孔３１ｅは扉カバー４８が対向する部位よりも若干広めに形成されているので、操作突起４７ａを押釦１８ａから外れる位置にスライド移動させた場合に操作突起４７ａが操作ハンドル３１に干渉することはない。この扉体３２は操作ハンドル３１に対して回動自在に取着され、この操作ハンドル３１を器体１０の前面に回動自在に取着している。
【００６０】
ここで、図８に示すように扉体３２を開いた状態ではスライド操作片４７の操作突起４７ａを操作することが可能になり、操作突起４７ａをスライド移動させることによって対応する個別スイッチ１８をグループ制御の対象にするか否かが設定される。例えば操作突起４７ａを貫通孔４８ａ内で図８中の左端までスライド移動させると、扉体３２を閉じた状態で操作突起４７ａが個別スイッチ１８の押釦１８ａと対向するので、対応する個別スイッチ１８が一括制御対象のグループに登録される。一方、操作突起４７ａを貫通孔４８ａ内で図８中の右端までスライド移動させると、扉体３２を閉じた状態で操作突起４７ａが個別スイッチ１８の押釦１８ａと対向しなくなるので、対応する個別スイッチ１８が一括制御対象のグループから除外されることになる。このように、各々の個別スイッチ１８に対してグループに登録するか否かを設定することができ、設定を終えると扉体３２を閉じる。
【００６１】
而して扉体３２を閉じた状態でハンドル部材３０を押操作すると、個別スイッチ１８の押釦１８ａに対向する位置にスライド移動させた操作突起４７ａによって対応する個別スイッチ１８の押釦１８ａが押操作され、押操作された個別スイッチ１８からの操作入力がコントロール部１ａに与えられる。コントロール部１ａでは、複数の個別スイッチ１８から操作入力が与えられると、これら複数の個別スイッチ１８がグループ制御のグループに登録されていると判断し、上述の割込処理を経て信号出力部１ｅから制御親器１０１へ、グループに登録された個別スイッチ１８のアドレスを伝送信号Ｖｓにより送信させ、制御親器１０１により上述と同様の処理を行わせ、グループに登録された個別スイッチに対応するリレーを制御させる。なお、個別スイッチ１８を個別に操作したい場合には扉体３２を開いた状態で、操作ハンドル３１の窓孔３１ｅを通して、所望の個別スイッチ１８の押釦１８ａを押操作すれば良い。
【００６２】
このように本実施形態では、扉体３２の裏面側に、個々の個別スイッチ１８毎に、対応する個別スイッチ１８の押釦１８ａに対向し操作ハンドル３１の回動動作に応じて対応する押釦１８ａを押動する位置と、対応する押釦１８ａから外れる位置との間で進退自在に設けられた複数個の操作突起４７ａ（スライド操作片４７）を設け、これら複数個のスライド操作片４７でグループ設定手段を構成しているので、複数の個別スイッチ１８でグループスイッチ２１を兼用することができ、専用のグループスイッチ２１を無くすことで部品数を削減してコストダウンを図ることが可能になる。しかもグループ設定手段を機械的なスライド操作片４７で構成しているので、実施形態２のように電気的なスイッチで構成した場合に比べて、スイッチや配線が不要になり、全体のコストダウンを図ることができる。また個々の個別スイッチ１８に対応して設けたスライド操作片４７の操作突起４７ａ（グループ設定手段）を用いて、各個別スイッチ１８をグループに登録するか否かを設定しているので、グループ設定を行うための設定器が不要で、専門の知識を持たない作業者でもグループ設定を容易に行うことができ、且つ設定中も遠隔監視制御システムは通常の制御動作を行うことができる。
【００６３】
また実施形態２と同様に、グループ設定手段を構成するスライド操作片４７を扉体３２に保持させ、各スライド操作片４７の操作突起４７ａを扉体３２の背面側に配置しているので、操作突起４７ａの大きさやストロークを十分大きくとることができ、操作性が向上するという利点がある。また実施形態１では、個別スイッチ１８の押釦１８ａに隣接して、グループ設定スイッチ１９のスライド摘み１９ａを配置しているため、個別スイッチ１８の用途などを表示するネームカード４３を扉体３２の裏面に配置しているが、本実施形態ではスライド操作片４７を扉体３２側に設けているので、操作ハンドル３１側に空きスペースができ、この空きスペースに個別スイッチ１８の用途などを表示するネームカード５１を配置することで、ネームカード５１の表示を個別スイッチ１８の押釦１８ａの近くに配置でき、個別スイッチ１８を操作する際にネームカード５１の表示が見易くなるという利点がある。
【００６４】
（実施形態４）
本発明に係るハンドル部材３０の実施形態を図１１に基づいて説明する。本実施形態のハンドル部材３０は上述した操作スイッチ配線器具に用いられるものであって、実施形態３で説明したハンドル部材３０において操作ハンドル３１後面の短手方向一端側（軸受部３３を設けた側）に後方に突出する各一対の弾性係止片５２を上下両側に突設してあり、操作スイッチ配線器具１０５の器体１１０の前面側にハンドル部材３０を被せて、各弾性係止片５２を器体１１０に設けた係止孔１１５に挿入し、弾性係止片５２の先端の爪５２ａを係止孔１１５の孔縁に引掛係止させることによって、ハンドル部材３０を操作スイッチ配線器具１の器体１１０に対して回動自在に取着してある。ここで、個別スイッチの押釦１１２ａに対向する位置に操作突起４７ａをスライド移動させた場合において、ハンドル部材３０を操作スイッチ配線器具１０５の器体１１０に取り付けた状態では操作突起４７ａが押釦１１２ａに接触せず、ハンドル部材３０の片側を押動してハンドル部材３０を回動させた状態では、操作突起４７ａが押釦１１２ａを押動するような寸法に弾性係止片５２の突出量が設定されている。なお、弾性係止片５２以外のハンドル部材３０の構成は実施形態３と同様であるので、同一の構成要素には同一の符号を付してその説明は省略する。
【００６５】
このように本実施形態では、操作ハンドル３１の前面側に扉体３２を回動自在に取着して構成されたハンドル部材３０を、既設の操作スイッチ配線器具１０５の器体１１０に取付手段たる弾性係止片５２を用いて取着すると、操作ハンドル３１に設けた操作突起４７ａ（押操作子）が、操作ハンドル３１の回動操作に応じて、グループに登録された個別スイッチの押釦１１２ａを一括して押操作するから、複数の個別スイッチを備えた既設の操作スイッチ配線器具１０５にハンドル部材３０を取り付けるだけでグループ制御の機能を容易に追加することが出来る。しかも、操作ハンドル３１に取着した扉体３２にはスライド操作片４７がスライド移動自在に設けられ、各スライド操作片４７の操作突起４７ａ（グループ設定手段）を用いて、個々の個別スイッチをグループに登録するか否かを設定することができるので、グループ設定を行うための設定器が不要で、専門の知識を持たない作業者でもグループ設定を容易に行うことができ、且つ設定中も遠隔監視制御システムは通常の制御動作を行うことができる。
【００６６】
なお、本発明の精神と範囲に反することなしに、広範に異なる実施形態を構成することができることは明白なので、この発明は、特定の実施形態に制約されるものではない。
【図面の簡単な説明】
【００６７】
【図１】実施形態１の操作スイッチ端末器の分解斜視図である。
【図２】同上を示し、（ａ）はハンドル部材を外した状態の説明図、（ｂ）はＡ部拡大図である。
【図３】同上を示し、（ａ）は正面図、（ｂ）は扉体を開いた状態の正面図である。
【図４】同上を示し、（ａ）は側面図、（ｂ）はブロック図である。
【図５】実施形態２の操作スイッチ端末器を示し、ハンドル部材を外した状態の説明図である。
【図６】同上を示し、扉体を開いた状態の正面図である。
【図７】同上の分解斜視図である。
【図８】実施形態３の操作スイッチ端末器を示し、扉体を開いた状態の正面図である。
【図９】同上のハンドル部材を外した状態の説明図である。
【図１０】同上の分解斜視図である。
【図１１】実施形態４のハンドル部材を示し、（ａ）はハンドル部材を操作スイッチ配線器具から外した状態の説明図、（ｂ）はハンドル部材の上面図である。
【図１２】（ａ）は従来の遠隔監視制御システムの概略構成図、（ｂ）〜（ｄ）は伝送信号の説明図である。
【図１３】遠隔監視制御システムに用いる操作スイッチ配線器具を示し、（ａ）は正面図、（ｂ）は化粧カバーを外した状態の正面図、（ｃ）は化粧カバーの正面図である。
【符号の説明】
【００６８】
１  操作スイッチ配線器具
１８  個別スイッチ
１９  グループ設定スイッチ
２１  グループスイッチ
【図１】
2006304235.tif 000003
【図２】
2006304235.tif 000004
【図３】
2006304235.tif 000005
【図４】
2006304235.tif 000006
【図５】
2006304235.tif 000007
【図６】
2006304235.tif 000008
【図７】
2006304235.tif 000009
【図８】
2006304235.tif 000010
【図９】
2006304235.tif 000011
【図１０】
2006304235.tif 000012
【図１１】
2006304235.tif 000013
【図１２】
2006304235.tif 000014
【図１３】
2006304235.tif 000015